(57)【要約】【課題】省エネルギー化を図りながら、連続運転を良好に行うことができる除湿空調装置を提供すること。【解決手段】冷房運転の場合に、水分吸着素子に水分を吸着させて導入した外気を除湿し、除湿した外気を対象室１の内部に供給する除湿ユニット２０と、冷房運転の場合に、導入した外気を再生加熱器３３で加熱し、加熱した外気を利用して前記水分吸着素子に水分を放出させる再生ユニット３０とを備えた除湿空調装置において、再生ユニット３０は、対象室１に配設された冷凍・冷蔵機器４０の排熱を利用して導入した外気を補助的に加熱し、補助的に加熱した外気を再生加熱器３３で加熱するようにしたものである。【選択図】        図１
2007071502.tif 000002
【特許請求の範囲】
【請求項１】
冷房運転の場合に、水分吸着素子に水分を吸着させて導入した外気を除湿し、除湿した外気を対象となる室の内部に供給する供給手段と、
冷房運転の場合に、導入した外気を再生加熱器で加熱し、加熱した外気を利用して前記水分吸着素子に水分を放出させる再生手段と
を備えた除湿空調装置において、
前記再生手段は、対象となる室に配設された冷凍・冷蔵機器の排熱を利用して導入した外気を補助的に加熱し、補助的に加熱した外気を前記再生加熱器で加熱するようにしたことを特徴とする除湿空調装置。
【請求項２】
前記供給手段は、前記水分吸着素子に水分を吸着させて導入した外気を除湿、あるいは導入した外気を冷却してから前記水分吸着素子に水分を吸着させて除湿し、かつ除湿した外気に別個に導入した対象となる室の室内空気を混合させて該室の内部に供給することを特徴とする請求項１に記載の除湿空調装置。
【請求項３】
前記供給手段は、暖房運転の場合には、対象となる室に配設された冷凍・冷蔵機器の排熱を利用して導入した外気を補助的に加熱し、補助的に加熱した外気を暖房用加熱器で加熱して前記室の内部に供給することを特徴とする請求項１に記載の除湿空調装置。
【請求項４】
前記供給手段は、前記暖房用加熱器で加熱した外気に別個に導入した対象となる室の室内空気を混合させて該室の内部に供給することを特徴とする請求項３に記載の除湿空調装置。
【発明の詳細な説明】
【技術分野】
【０００１】
本発明は、除湿空調装置に関し、より詳細には、例えばスーパーマーケット、コンビニエンスストア、ショッピングセンター等の店舗に適用され、室内への外気導入による換気、除湿、空気調和の各機能を有する除湿空調装置の改良に関する。
【背景技術】
【０００２】
従来、例えばスーパーマーケット、コンビニエンスストア、ショッピングセンター等の店舗等に適用される除湿空調装置は、除湿ロータ、除湿ユニットおよび再生ユニットを備えて構成されている。
【０００３】
除湿ロータは、いわゆるデシカント除湿機であり、円板状の例えばゼオライト系等の水分吸着素子が設けられており、駆動時に水分吸着素子を回転させるものである。より詳細に説明すると、水分吸着素子は、２つに仕切られた空気の流路を構成する水分吸着領域と水分放出領域とを交互に通過する態様で連続的に回転するものである。ここに、水分吸着領域は、通過する空気の水分を水分吸着素子に吸着させる領域であり、水分放出領域は、水分吸着素子に水分を放出させて乾燥させるための領域である。
【０００４】
除湿ユニットは、冷房運転時に、導入した外気を除湿ロータの水分吸着領域に通過させて除湿し、除湿した空気を冷却器で冷却した後に、空気吐出口を通じて対象となる室の内部に供給するものである。再生ユニットは、導入した再生空気を加熱手段で加熱し、加熱した空気を除湿ロータの水分放出領域に通過させて水分吸着素子に水分を放出させ、その後外部に送風するものである。ここに、加熱手段は、対象となる室に配設された冷凍・冷蔵機器の排熱を温水にて回収し、回収した排熱を利用して再生空気を加熱するものである（例えば、特許文献１参照）。
【０００５】
【特許文献１】特許第３０７８２８０号公報（特開２０００−３３７６５９号公報）
【発明の開示】
【発明が解決しようとする課題】
【０００６】
ところが、上記除湿空調装置では、対象となる室に配設された冷凍・冷蔵機器の排熱を利用して再生空気を加熱しているために、省エネルギー化を図ることができるものの、かかる排熱を利用して再生空気を加熱しても加熱温度は５０℃程度であり、水分吸着素子に水分を放出させるために必要な温度（一般的に８０℃）には達していない。そのため、水分吸着素子を良好に乾燥させることが困難であり、除湿空調装置の連続除湿・再生運転を行うことが困難であった。
【０００７】
本発明は、上記実情に鑑みて、省エネルギー化を図りながら、連続運転を良好に行うことができる除湿空調装置を提供することを目的とする。
【課題を解決するための手段】
【０００８】
上記目的を達成するために、本発明の請求項１に係る除湿空調装置は、冷房運転の場合に、水分吸着素子に水分を吸着させて導入した外気を除湿し、除湿した外気を対象となる室の内部に供給する供給手段と、冷房運転の場合に、導入した外気を再生加熱器で加熱し、加熱した外気を利用して前記水分吸着素子に水分を放出させる再生手段とを備えた除湿空調装置において、前記再生手段は、対象となる室に配設された冷凍・冷蔵機器の排熱を利用して導入した外気を補助的に加熱し、補助的に加熱した外気を前記再生加熱器で加熱するようにしたことを特徴とする。
【０００９】
また、本発明の請求項２に係る除湿空調装置は、上記請求項１において、前記供給手段は、前記水分吸着素子に水分を吸着させて導入した外気を除湿、あるいは導入した外気を冷却してから前記水分吸着素子に水分を吸着させて除湿し、かつ除湿した外気に別個に導入した対象となる室の室内空気を混合させて該室の内部に供給することを特徴とする。
【００１０】
また、本発明の請求項３に係る除湿空調装置は、上記請求項１において、前記供給手段は、暖房運転の場合には、対象となる室に配設された冷凍・冷蔵機器の排熱を利用して導入した外気を補助的に加熱し、補助的に加熱した外気を暖房用加熱器で加熱して前記室の内部に供給することを特徴とする。
【００１１】
また、本発明の請求項４に係る除湿空調装置は、上記請求項３において、前記供給手段は、前記暖房用加熱器で加熱した外気に別個に導入した対象となる室の室内空気を混合させて該室の内部に供給することを特徴とする。
【発明の効果】
【００１２】
本発明の除湿空調装置によれば、再生手段は、対象となる室に配設された冷凍・冷蔵機器の排熱を利用して導入した外気を補助的に加熱し、補助的に加熱した外気を再生加熱器で加熱するようにしたので、冷凍・冷蔵機器の排熱を有効に活用しながら再生加熱器に要する熱量を低減化させることができる。また、再生加熱器で加熱することにより外気を所望の温度状態にすることができ、水分吸着素子を良好に乾燥させることができる。従って、省エネルギー化を図りながら、連続運転を良好に行うことができるという効果を奏する。
【発明を実施するための最良の形態】
【００１３】
以下に添付図面を参照して、本発明に係る除湿空調装置の好適な実施の形態について詳細に説明する。尚、以下においては、説明の便宜上、冷房運転時（図１）と暖房運転時（図２）に分けて説明する。
【００１４】
図１は、本発明の実施の形態における除湿空調装置の冷房運転時の構成を模式的に示した模式図である。この図１において、除湿空調装置は、除湿ロータ１０と、除湿ユニット（供給手段）２０と、再生ユニット（再生手段）３０とを備えて構成してある。
【００１５】
除湿ロータ１０は、いわゆるデシカント除湿機であり、図には明示しないが、円板状の例えばゼオライト系等の水分吸着素子が設けてある。この除湿ロータ１０は、除湿空調装置が冷房運転時に駆動するものであって、駆動時には水分吸着素子を回転させるものである。より詳細に説明すると、水分吸着素子は、２つに仕切られた空気の流路を構成する水分吸着領域２３と水分放出領域３４とを交互に通過する態様で回転する。すなわち、水分吸着素子が回転すると、水分吸着領域２３に位置した部分は水分放出領域３４に移動し、次いで、再び水分吸着領域２３に移動することを順次繰り返す。
【００１６】
除湿ユニット２０は、冷房運転時に、空気を除湿して対象となる室（以下、対象室ともいう）１の内部に供給するためのものであり、外気取入口２１、冷却器２２、除湿ロータ１０の水分吸着領域２３、および供給ファン２４を配管等を通じて順次接続することにより構成してある。外気取入口２１は、外気を取り入れるための開口である。冷却器２２は、外気取入口２１を通じて取り入れた外気（空気）を予め決められた所定温度に冷却するものである。冷却器２２としては、空気を所定温度に冷却するものであれば特に限定されるものではなく、例えば圧縮機、凝縮器、膨張機構等と冷媒配管を通じて接続され、冷凍サイクルを構成する冷却器であっても良い。
【００１７】
除湿ロータ１０の水分吸着領域２３は、除湿ロータ１０の駆動時に、通過する空気の水分を水分吸着素子に吸着させるための領域である。これにより、冷却器２２で冷却された空気は、水分吸着領域２３で除湿される。供給ファン２４は、対象室１の内部に空気を供給するための送風源となるものである。従って、供給ファン２４により送風された空気は、空気吐出口２５を通じて対象室１の内部に供給される。
【００１８】
また、上記除湿ユニット２０には、還気取入口２８が設けてある。還気取入口２８は、水分吸着領域２３と供給ファン２４との間の配管に設けてあり、還気導入路２６を通じて対象室１の内部の空気を取り入れるための開口である。この還気導入路２６は、対象室１に設けられた空気取入口２７を通じて該対象室１の内部の空気を取り入れ、還気取入口２８まで移送するための通路である。
【００１９】
再生ユニット３０は、再生空気取入口３１、補助加熱器３２１、再生加熱器３３、除湿ロータ１０の水分放出領域３４、および再生ファン３５を配管等を通じて順次接続することにより構成してある。再生空気取入口３１は、再生空気（例えば外気）を取り入れるための開口である。
【００２０】
補助加熱器３２１は、再生空気取入口３１を通じて取り入れた空気を補助的に加熱するものである。この補助加熱器３２１について詳細に説明すると次のようになる。補助加熱器３２１は、ポンプ３２２、凝縮器３２３と配管を通じて順次接続してあり、それらの内部を例えば水等の熱輸送媒体が循環することで補助加熱サイクル３２を構成している。ポンプ３２２は、熱輸送媒体を循環させるためのものである。凝縮器３２３は、対象室１の外部に配設し、かつ、上記補助加熱サイクル３２を構成する配管とは別個の配管を通じて蒸発器３２４、コンプレッサ３２５と順次接続してあり、それらの内部をフロン若しくは代替フロン等の冷媒が循環することで冷凍サイクルを構成している。この凝縮器３２３では、補助加熱サイクル３２を構成する配管と、冷凍サイクルを構成する配管とは互いに熱的に接続してある。蒸発器３２４は、対象室１の内部に配設された冷凍・冷蔵機器４０を構成するものであり、内部の冷媒が蒸発することにより周囲の空気（内部雰囲気）を冷却させるものである。コンプレッサ３２５は、蒸発器３２４で蒸発した冷媒を圧縮するものである。つまり、冷凍サイクルでは、蒸発器３２４で冷媒が蒸発する結果、対象室１の内部より熱（以下、排熱ともいう）を得、その排熱を凝縮器３２３まで移送して該凝縮器３２３で冷媒が凝縮する結果、放出することになる。一方、補助加熱サイクル３２では、凝縮器３２３において冷凍サイクルを構成する冷媒が放出する排熱を得、その排熱をポンプ３２２の作用で補助加熱器３２１まで熱輸送媒体が移送する。そして、補助加熱器３２１にて、再生空気取入口３１を通じて取り入れた空気を移送した排熱で補助的に加熱することになる。
【００２１】
再生加熱器３３は、例えばヒータ等であり、補助加熱器３２１を通じて補助的に加熱した空気をさらに加熱するものである。除湿ロータ１０の水分放出領域３４は、除湿ロータ１０の駆動時に、再生加熱器３３で加熱された空気が通過することにより、水分吸着素子に水分を放出させて乾燥させるための領域である。再生ファン３５は、水分放出領域３４を通過した空気を再生空気吐出口３６を通じて外部に送風するものであり、再生空気を送風する送風源となる。
【００２２】
以下に、除湿空調装置が対象となる室１の内部を換気、除湿する場合について説明する。尚、ここでは、冷房運転時に限って説明する。
【００２３】
供給ファン２４の駆動により、外気が外気取入口２１を通じて取り入れられ、取り入れられた外気は、冷却器２２に至る。冷却器２２に至った外気は、該冷却器２２を通過しながら所定温度に冷却され、水分吸着領域２３に至る。その一方、供給ファン２４の駆動により、対象室１の内部の室内空気が空気取入口２７を通じて取り入れられ、取り入れられた室内空気は、還気導入路２６を通過して還気取入口２８に至る。
【００２４】
水分吸着領域２３において、外気に含有される水分が水分吸着素子の対応する部分に吸着され、外気の湿度が低下する。すなわち、外気は除湿される。また、水分吸着素子の水分吸着領域２３に対応する部分に吸着された水分は、水分吸着素子の回転とともに、水分吸着領域２３から水分放出領域３４に移動する。
【００２５】
水分吸着領域２３で除湿された外気は、供給ファン２４の駆動により下流側に流れ、還気導入路２６を通過し還気取入口２８に至った室内空気と混合して混合空気と成り、その後、空気吐出口２５を通じて対象室１の内部に供給される。
【００２６】
一方、再生ファン３５の駆動により、再生空気取入口３１を通じて再生空気（外気）が取り入れられ、取り入れられた空気は、補助加熱器３２１において冷凍・冷蔵機器４０の排熱を利用して補助的に加熱される。より詳細には、補助加熱サイクル３２を通じて凝縮器３２３で得た排熱を補助加熱器３２１まで移送し、該排熱を利用して空気は補助的に加熱される。補助的に加熱された空気は、再生加熱器３３を通過してさらに加熱されて高温度の空気になり、水分放出領域３４に至る。
【００２７】
水分放出領域３４において、再生加熱器３３で加熱された空気が通過することにより、水分吸着素子の対応する部分から水分が放出され、該空気の湿度が上昇する。その後、水分放出領域３４を通過した空気は、再生ファン３５の駆動により、再生空気吐出口３６を通じて外部に送風される。
【００２８】
水分吸着素子の水分放出領域３４に対応する部分は、水分が放出されて乾燥するとともに、温度が上昇する。この温度が上昇し、かつ乾燥した水分吸着素子の対応部分は、水分吸着素子の回転とともに、水分放出領域３４から水分吸着領域２３に移動し、上述した動作を繰り返す。
【００２９】
上記除湿空調装置において、再生ユニット３０は、対象室１に配設された冷凍・冷蔵機器４０の排熱を利用して導入した外気を補助的に加熱し、補助的に加熱した外気（空気）を再生加熱器３３でさらに加熱するようにしている。そして、その加熱した空気を水分放出領域３４に通過させることにより水分吸着素子に水分を放出させる。一方、除湿ユニット２０は、導入した外気を冷却器２２で冷却し、冷却した外気を水分吸着領域２３に通過させることにより水分吸着素子に水分を吸着させて除湿し、除湿した空気に還気導入路２６を通じて別個に導入した対象室１の内部の室内空気を混合して該対象室１の内部に供給している。
【００３０】
以上説明したように、上記除湿空調装置によれば、再生ユニット３０は、対象室１に配設された冷凍・冷蔵機器４０の排熱を利用して導入した外気を補助的に加熱し、補助的に加熱した空気を再生加熱器３３で加熱するようにしているので、冷凍・冷蔵機器４０の排熱を有効に活用しながら再生加熱器３３に要する熱量を低減化させることができる。また、再生加熱器３３で加熱することにより外気を所望の温度状態にすることができ、水分吸着素子を良好に乾燥させることができる。従って、省エネルギー化を図りながら、連続除湿・再生運転を良好に行うことができる。
【００３１】
また、除湿ユニット２０では、導入した外気を冷却器２２で冷却することにより、外気の相対湿度を上昇させることができる。そのため、相対湿度が高い方が除湿能力が高くなるゼオライト等の特性を利用して水分吸着素子での吸着水分量を増加させることができ、これにより、除湿ロータ１０による除湿能力の向上を図ることができる。また、水分吸着領域２３を通過する外気は、除湿される際に発生する吸着熱により温度が上昇することになる。ところが、かかる外気は、水分吸着領域２３の下流側で、還気導入路２６を通じて導入した室内空気と混合されることで、所定の温度に冷却することができる。このように、対象室１の内部に外気を供給するので換気を行うことができ、しかも、所定の温度に冷却・除湿された空気を供給するので対象室１を良好に除湿することができるとともに適温に調整することができる。更に、水分吸着領域２３の下流側で除湿した空気と別個に導入した室内空気とを混合させるようにしたので、除湿ロータ１０での除湿処理空気量の増大化を招来する虞れがない。従って、除湿ロータ１０の除湿能力の向上を図りながら、除湿ロータ１０での除湿処理空気量の増大なく除湿した所定の温度に冷却された空気を対象室１の内部へ供給することができる。そして、除湿ロータ１０の小型化、供給ファン２４および再生ファン３５の送風量の低減化、再生加熱器３３の加熱エネルギーの低減化、冷却器２２の冷却エネルギーの低減化を図ることが可能になり、結果的に、装置全体の小型化、省エネルギー化を図ることができる。
【００３２】
図２は、本発明の実施の形態における除湿空調装置の暖房運転時の構成を模式的に示した模式図である。尚、図１に示した除湿空調装置と同一の構成を有するものには同一の符号を付してその説明を省略する。この図２において、除湿空調装置は、除湿ロータ１０と、除湿ユニット（供給手段）２０′と、再生ユニット（再生手段）３０とを備えて構成してある。そして、除湿ロータ１０および再生ユニット３０は、除湿空調装置が暖房運転時には駆動しない。つまり、除湿空調装置は、暖房運転時は、除湿ユニット２０′のみを駆動させるものである。
【００３３】
除湿ユニット２０′は、外気を対象室１の内部に供給するためのものであり、外気取入口２１、除湿ロータ１０の水分吸着領域２３、補助加熱器２９１、暖房用加熱器３７、および供給ファン２４′を配管等を通じて順次接続することにより構成してある。ここで、水分吸着領域２３は、除湿ロータ１０が駆動しないため、冷房運転時のように通過する空気の水分を水分吸着素子に吸着させるための領域としては機能せず、導入した外気の通過領域となる。
【００３４】
補助加熱器２９１は、除湿ロータ１０の水分吸着領域２３を通過した空気を補助的に加熱するものである。この補助加熱器２９１について詳細に説明すると次のようになる。補助加熱器２９１は、ポンプ２９２、凝縮器２９３と配管を通じて順次接続してあり、それらの内部を例えば水等の熱輸送媒体が循環することで補助加熱サイクル２９を構成している。ポンプ２９２は、熱輸送媒体を循環させるためのものである。凝縮器２９３は、対象室１の外部に配設し、かつ、上記補助加熱サイクル２９を構成する配管とは別個の配管を通じて蒸発器２９４、コンプレッサ２９５と順次接続してあり、それらの内部をフロン若しくは代替フロン等の冷媒が循環することで冷凍サイクルを構成している。この凝縮器２９３では、補助加熱サイクル２９を構成する配管と、冷凍サイクルを構成する配管とは互いに熱的に接続してある。蒸発器２９４は、対象室１の内部に配設された冷凍・冷蔵機器４０を構成するものであり、内部の冷媒が蒸発することにより周囲の空気（内部雰囲気）を冷却させるものである。コンプレッサ２９５は、蒸発器２９４で蒸発した冷媒を圧縮するものである。つまり、冷凍サイクルでは、蒸発器２９４で冷媒が蒸発する結果、対象室１の内部より熱（以下、排熱ともいう）を得、その排熱を凝縮器２９３まで移送して該凝縮器２９３で冷媒が凝縮する結果、放出することになる。一方、補助加熱サイクル２９では、凝縮器２９３において冷凍サイクルを構成する冷媒が放出する排熱を得、その排熱をポンプ２９２の作用で補助加熱器２９１まで熱輸送媒体が移送する。そして、補助加熱器２９１にて、水分吸着領域２３を通過した空気を移送した排熱で補助的に加熱することになる。
【００３５】
暖房用加熱器３７は、例えばヒータ等であり、補助加熱器２９１を通じて補助的に加熱した空気をさらに加熱するものである。供給ファン２４′は、対象室１の内部に空気を供給するための送風源となるものである。従って、供給ファン２４′により送風された空気は、空気吐出口２５を通じて対象室１の内部に供給される。
【００３６】
また、上記除湿ユニット２０′には、還気取入口２８′が設けてある。還気取入口２８′は、暖房用加熱器３７と供給ファン２４′との間の配管に設けてあり、還気導入路２６′を通じて対象室１の内部の空気を取り入れるための開口である。この還気導入路２６′は、対象室１に設けられた空気取入口２７′を通じて該対象室１の内部の空気を取り入れ、還気取入口２８′まで移送するための通路である。
【００３７】
上記除湿空調装置においては、供給ファン２４′の駆動により、外気が外気取入口２１を通じて取り入れられ、取り入れられた外気は、水分吸着領域２３に至り、該水分吸着領域２３を通過して補助加熱器２９１に至る。その一方、供給ファン２４′の駆動により、対象室１の内部の室内空気が空気取入口２７を通じて取り入れられ、取り入れられた室内空気は、還気導入路２６を通過して還気取入口２８に至る。
【００３８】
補助加熱器２９１に至った外気（空気）は、冷凍・冷蔵機器４０の排熱を利用して補助的に加熱される。より詳細には、補助加熱サイクル２９を通じて凝縮器２９３で得た排熱を補助加熱器２９１まで移送し、該排熱を利用して空気は補助的に加熱される。補助的に加熱された空気は、暖房用加熱器３７を通過してさらに加熱されて高温度の空気になって下流側に流れ、還気導入路２６を通過し還気取入口２８に至った室内空気と混合して混合空気と成り、その後、空気吐出口２５を通じて対象室１の内部に供給される。
【００３９】
上記除湿空調装置において、除湿ユニット２０′は、対象室１に配設された冷凍・冷蔵機器４０の排熱を利用して除湿された外気を補助的に加熱し、補助的に加熱した空気を暖房用加熱器３７でさらに加熱するようにしている。そして、その加熱した空気に還気導入路２６′を通じて別個に導入した対象室１の内部の室内空気を混合して該対象室１の内部に供給している。
【００４０】
以上説明したように、上記除湿空調装置によれば、除湿ユニット２０′は、対象室１に配設された冷凍・冷蔵機器４０の排熱を利用して、導入した外気を補助的に加熱し、補助的に加熱した空気を暖房用加熱器３７でさらに加熱するようにしているので、冷凍・冷蔵機器４０の排熱を有効に活用しながら暖房用加熱器３７に要する熱量を低減化させることができる。また、暖房用加熱器３７で加熱することにより外気を所望の温度状態にすることができ、良好な暖房運転を行うことができる。
【００４１】
また、除湿ユニット２０′では、暖房用加熱器３７の下流側で加熱した空気と別個に導入した室内空気とを混合させるようにしたので、補助加熱器２９１および暖房用加熱器３７での加熱処理空気量の増大化を招来する虞れがない。従って、除湿空調装置によれば、加熱処理空気量の増大なく適温空気を対象室１の内部へ供給することができる。
【産業上の利用可能性】
【００４２】
以上のように、本発明は、例えばスーパーマーケット、コンビニエンスストア、ショッピングセンター等の店舗に適用され、室内への外気導入による換気、除湿、空気調和の各機能を有する除湿空調装置として有用である。
【図面の簡単な説明】
【００４３】
【図１】本発明の実施の形態における除湿空調装置の冷房運転時の構成を模式的に示した模式図である。
【図２】本発明の実施の形態における除湿空調装置の暖房運転時の構成を模式的に示した模式図である。
【符号の説明】
【００４４】
１０    除湿ロータ
２０，２０′    除湿ユニット
２１    外気取入口
２２    冷却器
２３    水分吸着領域
２４    供給ファン
２５    空気吐出口
２６，２６′    還気導入路
２７，２７′    空気取入口
２８，２８′    還気取入口
３０    再生ユニット
３１    再生空気取入口
３２，２９    補助加熱サイクル
３２１，２９１    補助加熱器
３２２，２９２    ポンプ
３２３，２９３    凝縮器
３２４，２９４    蒸発器
３２５，２９５    コンプレッサ
３３    再生加熱器
３４    水分放出領域
３５    再生ファン
３６    再生空気吐出口
３７    暖房用加熱器
４０    冷凍・冷蔵機器
【図１】
2007071502.tif 000003
【図２】
2007071502.tif 000004